(57)【特許請求の範囲】
【請求項１】
出入口の左右両側に立設された門柱部材間の路面に形成された収納ピットと、
前記収納ピット内から上方に出退自在に配置されて天板が路面に構成された防水扉と、
前記防水扉と左右の門柱部材にそれぞれ設けられて防水扉の昇降を案内する昇降ガイド部材と、
前記収納ピット内に左右方向に所定間隔をあけて立設され水道水圧で伸縮駆動されて防水扉を昇降駆動する複数の水道圧シリンダと、
前記防水扉を上昇限で保持する休止装置と、
収納ピット内の左右両側にそれぞれ配置されて、収納ピット内に昇降自在に配置されたカウンタウェイトと防水扉とを連結する索体と、収納ピット内の上部に配置されて前記索体を案内するシーブとを有し、防水扉のバランスをとる押上補助装置を具備した
ことを特徴とする昇降式防水扉装置。
【請求項２】
休止装置に、
防水扉に設けられた被係止部材に対応して、水平軸心周りに揺動自在に支持されて防水扉と共に上昇される係止部材により後退される係止フックと、
前記係止フックを垂下姿勢となるように付勢する付勢手段とを設けた
ことを特徴とする請求項１記載の昇降式防水扉装置。
【発明の詳細な説明】
【０００１】
【発明の属する技術分野】
本発明は、建物や構造物の入口、地下駐車場やエレベータ装置の出入口に設置され、高潮や洪水などでオーバーフローした水による浸水を防止する昇降式防水扉装置に関する。
【０００２】
【従来の技術】
たとえば集中豪雨などで河川が氾濫し道路などに冠水した水は、構造物の入口などを通って構造物内、特に地下施設に流入し、浸水する。
【０００３】
このため、緊急の浸水の防止策として、流入しやすい低位部分や出入口に土嚢を積む作業が人手により行われていた。
【０００４】
【発明が解決しようとする課題】
このように土嚢を使用する場合には、その準備作業や設置作業が重労働となり、時間的な余裕も必要となる。
【０００５】
また出入口などでは、防水用の扉を設置することも考えられるが、扉の容積や重量も大きく、通常時に扉を保管する大容量の保管場所が必要な場合が多く、また扉の開閉や移動に大きい動力が必要になる。
【０００６】
本発明は上記問題点を解決して、保管場所も不要で、迅速に防水扉の開閉が可能な昇降式防水扉装置を提供することを目的とする。
【０００７】
【課題を解決するための手段】
上記目的を達成するために請求項１記載の発明は、出入口の左右両側に立設された門柱部材間の路面に形成された収納ピットと、前記収納ピット内から上方に出退自在に配置されて天板が路面に構成された防水扉と、前記防水扉と左右の門柱部材にそれぞれ設けられて防水扉の昇降を案内する昇降ガイド部材と、前記収納ピット内に左右方向に所定間隔をあけて立設され水道水圧で伸縮駆動されて防水扉を昇降駆動する複数の水道圧シリンダと、前記防水扉を上昇限で保持する休止装置と、収納ピット内の左右両側にそれぞれ配置されて、収納ピット内に昇降自在に配置されたカウンタウェイトと防水扉とを連結する索体と、収納ピット内の上部に配置されて前記索体を案内するシーブとを有し、防水扉のバランスをとる押上補助装置を具備したものである。
【０００８】
上記構成によれば、出入口の路面に収納ピットを形成し、この収納ピットから防水扉を出退するように構成したので、防水扉の保管場所も不要で、リフト駆動機構により迅速に開閉することができる。また水道圧シリンダの駆動力が減少することがあっても、休止装置により閉鎖状態の防水扉の落下を防止することができ、安全性を確保することができる。また左右両側に配置された押上補助装置によりカウンタウェイトと防水扉とをバランスさせることで、水道圧シリンダの駆動力を低減させて小型化することができる。またリフト駆動機構に、異常気象時に断水しにくい水道圧シリンダを使用することにより、安定して開閉動作を行うことができ、また商業電源や駆動流体圧ユニットも不要となり、安価に提供することができる。
【００１１】
請求項２記載の発明は、休止装置に、防水扉に設けられた被係止部材に対応して、水平軸心周りに揺動自在に支持されて防水扉と共に上昇される係止部材により後退される係止フックと、前記係止フックを垂下姿勢となるように付勢する付勢手段とを設けたものである。
【００１２】
上記構成によれば、被係止部材に係脱自在な係止フックを有する休止装置により、上昇限出閉鎖位置の防水扉の落下を防止することができるので、断水などにより水道圧シリンダが減圧されることがあっても、簡単な構造で防水扉の落下を確実に防止することができ、安全性を向上させることができる。
【００１３】
【発明の実施の形態】
ここで、本発明に係る昇降式防水扉装置の実施の形態を図１〜図６に基づいて説明する。
【００１４】
図１，図２に示すように、出入口１の左右両側に門柱部材２，２が立設され、門柱部材２，２間の路面にわたって幅方向に長い平面視矩形状の収納ピット３が形成されており、収納ピット３内に、昇降ガイド部材を介して門柱部材２，２に沿って昇降自在に配置されて上方に突出し出入口１を閉鎖可能な防水扉５と、水道水圧により伸縮駆動されて門柱部材２，２間で防水扉５を昇降駆動する複数の水道圧シリンダ（リフト駆動機構）４と、前記門柱部材２，２にそれぞれ設けられて上昇限の閉鎖位置で防水扉５を保持する休止装置７と、カウンタウェイト３２により防水扉５のバランスをとって水道圧シリンダ４の駆動力を補助する押上補助装置６と、収納ピット３内に浸水した水を排水する排水ポンプ１５とが設けられている。また防水扉５の天板５ａが路面に構成され、防水扉５と門柱部材２および収納ピット３に、閉鎖位置で防水扉５との隙間をシールするシール部材が設けられている。
【００１５】
収納ピット３の底部には、左右方向に所定間隔をあけて複数（図では４本）の水道圧シリンダ４が支持部材を介して立設配置され、ピストンロッドがそれぞれ防水扉５の天板５ａの下面に連結されている。また下降限の開放位置で防水扉５を下方から支持する複数の支柱部材９が立設配置され、支柱部材９にねじ軸を介して高さ調整自在に配置された受け台により、防水扉５の開放位置の高さを調整可能に構成されている。さらに収納ピット３の背面に点検用梯子１０が取り付けられている。
【００１６】
防水扉５は、図２，図３に示すように、左右両端部が門柱部材２の対向面と、収納ピット３の左右側面とに連続して形成された上下方向のガイド凹部１１に昇降自在に嵌合されており、防水扉５は、前記天板５ａと、この天板５ａの前縁部から垂設された前面板５ｂと、前面板５ｂの下辺部に沿って取り付けられた底辺部材５ｃとを有し、背面および底面が開放されている。また防水扉５の両側面には、上下方向に所定間隔をあけて複数（図は上下一対）のガイドローラ（昇降ガイド部材）８Ａ，８Ｂがそれぞれ回転自在に支持されており、上部に設けられた左右のガイドローラ８Ａが連動軸１２を介して互いに連結連動されている。これにより防水扉５の左右の昇降速度を一定として防水扉５に傾きが生じないように構成されている。また下部のガイドローラ８Ｂは、底辺部材５ｃの両端部に設けられた軸受ボックス１３に支軸１４を介して回転自在に支持されている。２５はガイド凹部１１に取り付けられて、上昇限のガイドローラ８Ａと下降限のガイドローラ８Ｂを案内するローラガイド板（昇降ガイド部材）で、上下方向に連続してまたは上下方向で複数に分割されており、図示しないが防水扉５の閉鎖位置で正面側寄りに形成することで、防水扉５を前面側に押出してシール部材を圧縮しシール効果を向上させるように形成されている。
【００１７】
前記休止装置７は、図５，図６に示すように、防水扉５の両側部で軸受ボックス１３の外側部に前後方向に取り付けられた被係止ピン（係止部材）２１に対応して、門柱部材２のガイド凹部１１に取り付けられた支持部材１１ａに前後方向の支持軸２３を介して、係止フック２２が所定範囲で水平軸心周りに揺動自在に支持され、下端部には被係止ピン２１を保持可能な係止部２１ａが形成されている。そして、係止フック２２は自重（付勢手段）と調整ウェイト（付勢手段）２４により垂下姿勢となるように付勢されるとともに、係止フック２２のピン受け部２２ａに、被係止ピン２１により図５（ｂ）に示す矢印方向に回動して後退する後退用テーパ面２２ｂが形成されている。
【００１８】
したがって、防水扉５と共に被係止ピン２１が上昇して上昇限に接近すると、被係止ピン２１が係止フック２２の後退用傾斜面２２ｂに当接して係止フック２２を矢印方向に後退させ、被係止ピン２１が通過すると、自重と調整ウェイト２４により元の垂下姿勢に復帰される。これによりピン受け部２２ｂが係止ピン２１の下部に挿入されて被係止ピン２１を下方から保持可能となり、水道圧シリンダ４が減圧された場合でも、防水扉５を閉鎖位置に保持することができる。休止装置７を解除する場合には、作業員が手動により調整ウェイト２４を図５（ｂ）に示す矢印方向に回動させることで、容易に解除される。
【００１９】
前記押上補助装置６は、図４，図６に示すように、収容ピット３の両側に設けられており、収容ピット３の背面に、所定重量のカウンタウェイト３２がウェイトガイド３１を介して昇降自在に配置され、ウェイトガイド３１の上部の支持対３０に左右方向の軸心周りに回転自在に支持されたシーブ３４に、防水扉５の軸受ボックス１３とカウンタウェイト３２とを連結する索体３３が巻回されている。
【００２０】
防水扉５と門柱部材２および収容ピット３の隙間をシールするシール部材は、図４，図６に示すように、防水扉５の前面板５ｂの両側部にそれぞれ上下方向に取り付けられ、ガイド凹部内の前面のシール受け板に摺接する側部シール材３５と、前面板５ｂの下部で全幅にわたって取り付けられて閉鎖位置で収容ピット３内の前面上縁部のシール用受け板に当接する底部シール材３６とで構成される。もちろん、シール部材とシール用受け板を逆に入れ替えてもよい。
【００２１】
上記構成において、集中豪雨などの警報が入り、水道水の給水配管に設けられた操作弁（図示せず）を状況に応じて職員が手動により操作し、図示しない警報装置から警告音を発生させるとともに、各水道圧シリンダ４の進展室にそれぞれ水道水圧が供給されて防水扉５が上昇される。このとき、押上補助装置６のカウンタウェイト３２により防水扉５８がバランスされていることから、水道圧シリンダ４の進展力が補助されて迅速に上昇される。
【００２２】
さらに防水扉５が上昇されて上昇限に接近すると、被係止ピン２１ａが係止フック２２を後退させて通過し、次いで係止フック２２が自重と調整ウェイト２４により元の垂下姿勢に復帰されるとともに、防水扉５が上昇限に達して水道圧シリンダ４への給水が停止される。さらに警報装置の警告音が停止される。このとき、水道圧シリンダ４への給水が減圧されることがあっても、休止装置７により被係止ピン２１が係止フック２２が保持されて下降が規制され、防水扉５が閉鎖位置で保持される。またローラガイド板２５により、防水扉５が正面側に押し付けられることから、防水扉５の両側部にそれぞれ設けられた側部シール材３５がガイド凹部１１内のシール受け板に圧接され、前面板５ｂの下部に設けられた底部シール材３６が収容ピット３内のシール用受け板に圧接されて、防水扉５と収容ピット３および門柱部材２との隙間が効果的にシールされる。
【００２３】
集中豪雨などの警報が解除されると、作業員により、調整ウェイト２４を回動させて休止装置７を解除した状態で、操作弁が操作されて各水道圧シリンダ４の収縮室にそれぞれ水道水圧が供給され、警報装置から警告音が発せられるとともに防水扉５が下降される。そして防水扉５が収納ピット３に嵌入されて下降限で支柱部材９に支持されるとともに、水道圧シリンダ４への給水が停止され、警報装置からの警告音が停止される。
【００２４】
なお、水道圧シリンダ４に水道水圧を供給できないなどの非常時には、カウンタウェイト３２に補助ウェイトを追加することにより、防水扉５を強制的に下降して出入口１を開放することができる。
【００２５】
上記実施の形態によれば、防水扉５を昇降させるリフト駆動機構として、水道水圧を利用する水道圧シリンダ４を使用したので、異常気象時に停電が多い商業電源などに比較して、断水などによる停止事故もほとんどなく、正常に機能させることができる。また保守点検も容易で、環境汚染もなく、自動化、省力化も容易に行うことができる。さらに駆動流体圧を発生する油圧ユニットやエアユニットも不要で経済性にすぐれ安価に提供することができる。
【００２６】
またカウンタウェイト３２により防水扉５とバランスさせる押上補助装置６を設けたので、水道圧シリンダ４の駆動力（容量）を小さくできる。また緊急時にバックアップシステムとして、カウンタウェイト３２の重量を増加することにより、防水扉５を強制的に下降させて出入口１を開放することができる。
【００２７】
さらに防水扉５を収容する収納ピット３を出入口１の路面に形成したので、地上側のスペースを有効利用することができる。さらにまた上部ガイドローラ８ａを連動軸１２により同期回転するように構成したので、防水扉を傾くことなく昇降させることができる。また閉鎖状態で、水道圧シリンダ５への給水圧の減少が生じたとしても、休止装置７により防水扉５の落下を防止することができ、安全性を高めることができる。
【００２８】
なお、水道圧シリンダ５に代えて、油圧シリンダや空気圧シリンダ、電動ジャッキなどを使用することもでき、この場合好ましくは、自家発電の電源を流体圧ユニットなどの電源として使用するとよい。
【００２９】
【発明の効果】
以上に述べたごとく請求項１記載の発明によれば、出入口の路面に収納ピットを形成し、この収納ピットから防水扉を出退するように構成したので、防水扉の保管場所も不要で、リフト駆動機構により迅速に開閉することができる。また水道圧シリンダの駆動力が減少することがあっても、休止装置により閉鎖状態の防水扉の落下を防止することができ、安全性を確保することができる。また左右両側に配置された押上補助装置によりカウンタウェイトと防水扉とをバランスさせることで、水道圧シリンダの駆動力を低減させて小型化することができる。またリフト駆動機構に、異常気象時に断水しにくい水道圧シリンダを使用することにより、安定して開閉動作を行うことができ、また商業電源や駆動流体圧ユニットも不要となり、安価に提供することができる。
【００３１】
さらに請求項２記載の発明によれば、被係止部材に係脱自在な係止フックを有する休止装置により、上昇限出閉鎖位置の防水扉の落下を防止することができるので、断水などにより水道圧シリンダが減圧されることがあっても、簡単な構造で防水扉の落下を確実に防止することができ、安全性を向上させることができる。
【図面の簡単な説明】
【図１】本発明に係る昇降式防水扉装置の実施の形態を示す全体背面断面図である。
【図２】同装置の全体平面断面図である。
【図３】（ａ）は図１に示すＡ−Ａ断面図、（ｂ）は（ａ）の閉鎖状態を示す断面図である。
【図４】同装置の押上補助装置を示し、（ａ）は開放状態の側面断面図、（ｂ）は閉鎖状態の側面断面図である。
【図５】同装置の休止装置を示し、（ａ）は背面断面図、（ｂ）はその動作を示す背面断面図である。
【図６】同装置の休止装置および補助押上装置を示す平面断面図である。
【符号の説明】
１    出入口
２    門柱部材
３    収納ピット
４    水道圧シリンダ
５    防水扉
５ａ  天板
６    押上補助装置
７    休止装置
８    排水ポンプ
９    支柱部材
１０    点検用梯子
１１    ガイド凹部
１２    連動軸
２１    被係止ピン
２２    係止フック
２２ａ  ピン受け部
２２ｂ  後退テーパ面
２３    支持軸
２４    調整ウェイト
２５    ローラガイド板
３２    カウンタウェイト
３３    索体
３４    シーブ
３５    側部シール材
３６    底部シール材
【図１】
0003955235.tif 000002
【図２】
0003955235.tif 000003
【図３】
0003955235.tif 000004
【図４】
0003955235.tif 000005
【図５】
0003955235.tif 000006
【図６】
0003955235.tif 000007